(57)【要約】【課題】小さ目の品物を包むための、その場の雰囲気に合わせた簡易でシャレた雰囲気を醸し出すパッケージを提供する。【解決手段】ワッフルペーパーや合成樹脂フィルムなどの帯状の紙状材１には、長手方向に平行に連続するスリット２が複数本形成されている。この紙状材１・１二枚のそれぞれ中間を二つ折りにし、ふたつの紙状材１のスリット２が交差するよう配置する。紙状材１の複数本となる分割部分４が、一方の紙状材１の分割部分４が他方の紙状材１の分割部分４と互い違いに上下となるよう編み込む。【作用】紙状材１によって簡易で安価な、ペーパークラフト技術を応用したシャレた印象のパッケージとなる。編み込んだ底部の強度が大きくなる。ハート形としてよりメッセージ性を高める。【選択図】　　　　　図１
0003098801.tif 000002
【実用新案登録請求の範囲】
【請求項１】
長手方向に平行に連続するが、その両端まで至らぬスリットを、幅方向に等間隔離離して複数本形成した二枚の紙状材を、それぞれ長手方向中間にて二つ折りにし、ふたつの紙状材のスリットの方向が交差するよう配置して、スリットにより切り離された二枚の紙状材の複数本となる分割部分を、一方の紙状材の分割部分が他方の紙状材の折り返し部分と互い違いに上下となるよう交互に編み込み、編み込み部分が底部となるよう袋状にしてなるペーパークラフトパッケージ。
【請求項２】
二枚の紙状材を袋状に編み込み、その全体形状がハート形となるようにしたことを特徴とする請求項１記載のペーパークラフトパッケージ。
【請求項３】
スリットは中間の一部が両端部分よりも幅広となっていることを特徴とする請求項１記載のペーパークラフトパッケージ。
【請求項４】
袋状にした紙状材には、吊下げるための紐状材を繋げたことを特徴とする請求項１記載のペーパークラフトパッケージ。
【考案の詳細な説明】
【０００１】
【考案の属する技術分野】
この考案は紙や合成樹脂フィルムなどの紙状材を使用してペーパークラフト技術を応用して製作するパッケージに関するものであり、特に小間物などの小さめの記念品などを収納するなどに便利で簡易なペーパークラフトパッケージに関するものである。
【０００２】
【従来の技術】
キャンデーなどのお菓子や、紅茶の葉、ハーブを包んだ匂い袋など、小さな品物を包んで他者に手渡すとき、それを収納する簡易でシャレた印象を与えるパッケージがあると、品物そのものに込めたメッセージ性も格段と向上するものである。例えば、結婚式の披露宴などにおいて、新郎と新婦が宴席を回りながら小さな品物を簡易であって美的に優れたパッケージに入れて手渡していくということが宴の趣向として取り入れられ始めている。このようなとき、そのパッケージが意外性や趣きのあるものであると、その品物の意味合いや価値がもらった相手に快く受け入れられるものである。
【０００３】
【考案が解決しようとする課題】
前述したような小間物を包むとき、中身の品物に比して包装やパッケージが豪奢すぎると、パッケージと中身が不釣り合いとなって、かえってその意味合いなどが損なわれてしまうものである。つまりは、パッケージはその中身にふさわしくなくてはならず、小さな品物であれば、それを包むパッケージも簡便なものであって、しかもただ単に包んだという印象を与えるだけでなく、シャレた雰囲気を演出する形状や構造が求められている。
【０００４】
【課題を解決するための手段】
この考案は以上のような課題を解決するためになされたもので、ペーパークラフト技術を使用して、紙などの安価な材料によって雰囲気のある簡易なパッケージを製造し、それを提供することを目的とするものである。
【０００５】
【考案の実施の形態】
この考案にかかるペーパークラフトパッケージは、紙や合成樹脂フィルムなどの紙状材を使用する。紙状材はクラフト加工するために柔軟性は必要であるが、形状の維持のためにある程度強度があった方がよく、紙であればエンボス加工などを施して容易に折れ曲がらないようにすることが考えられる。その例としてワッフルペーパーなどと呼ばれる素材なども好適な材料である。このような紙状材を幅広の帯状にしたものを二枚使用する。その形状は帯状であるが、最終的な形状に応じて紙状材の形状も決定するもので、全体を四角形にするならば長方形の二枚の紙状材でよく、例えばハート形とするならば、両端が半円形となった帯状材を二枚使用する。
【０００６】
紙状材は帯状であるが、その長手方向に平行に連続して複数本のスリットが形成されている。スリットはその両端までは至っていない。つまりはスリットによって紙状材が切り込まれているが、両端部分は切り込まれておらず、繋がった状態にしておくという意味である。スリットの中間部分は、その両端部分よりも若干幅広とすることもある。これは後に述べる編み込み作業を容易にするためである。スリットの数は編み込む手間を考慮すれば数本程度が好適である。
【０００７】
このような紙状材をそれぞれ長手方向中間にてふたつ折りにし、そのスリットが交差するようにふたつの紙状材を、その折り返し側を突き合わせるように配置する。つまり折り返し側を近づけて、ほぼ直交するように配置して編み込んでいくのである。紙状材の折り返し側部分はスリットによって複数本に分割されているが、一方の紙状材のこの分割部分を、他方の紙状材の分割部分と互い違いに上下、つまりはパッケージの内側と裏側に交互に重なるよう編み込むものである。この編み込みによって二枚の紙状材は一体になり、編み込み部分が底となる袋状のパッケージとなる。
【０００８】
両端が半円形の紙状材を使用したときは、パッケージの全体の形状はハート形を成す。形状が長方形の紙状材ふたつを編み込んだ場合は、全体形状は方形状となり、台形状の紙状材を使用すれば、三角形のパッケージとすることができる。このパッケージに、吊下げるためのリボン結びした紐を取付けることも好適である。
【０００９】
【実施例】
以下、図に示す実施例に基づきこの考案を詳細に説明する。図において１は紙状材であって、その素材としてはワッフルペーパーが使用されている。紙状材１は帯状に成形されており、長手方向両端が半円形となっている。全体の長さＬは、その幅Ｗの四倍である。紙状材１の長手方向には、幅方向に等間隔離れてスリット２が二本切り込まれている。スリット２は紙状材１の中間部分のみで、その両端までは至っていない。つまりは紙状材１はスリット２によっては切り離されておらず、両端で全体が繋がっているということである。スリット２は、その両端部分よりも、中間部分の幅Ｓが若干太くなっている。紙状材１の両端近くの一則には、それぞれ孔３が形成されている。孔３は紙状材１の端からそれぞれ同じ長さＴだけ離隔している。
【００１０】
このような紙状材１二枚を、それぞれ長手方向の中間を境に二つ折りにする。この紙状材１二枚を、それぞれの分割部分４を突き合わせ、それらスリット２が直交するように配置する。紙状材１の分割部分４は、スリット２によって三本となっている。これを一方の紙状材１の三本の分割部分４が、他方の紙状材１の三本の折り返し部分４と、互い違いに上下となるよう交互に編み込むものである。つまりは、一方の紙状材１の一本の分割部分４を、他方の紙状材１の三本の分割部分４に対してその内側、外側、内側となるよう編み込んだら、二本目の分割部分４を、他方の紙状材１の三本の折り返し部分４に対して外側、内側、外側となるよう編み込むものである。このとき、スリット２の中間部が若干幅広となっており、二本目、三本目の折り返し部分の編み込みがし易い。三本目の分割部分４は、また内側、外側、内側となるよう編み込むのである。このように編み込むことによって二枚の紙状材１・１は一体となり、その編み込み部分は袋状パッケージの底部となる。
【００１１】
ふたつの紙状材１・１を編み込むと、孔３が一致して、これに紐５を通してリボン結びする。反対側には紐５をビーズ６に通しておき、パッケージの口元が容易く開かないように止める役割をしている。このようなパッケージを使用する場合、ビーズ６を動かして口元を開き、中に品物やメッセージを書いたカードなどを入れる。パッケージの底部は二枚の紙状材１・１を編み込んであるため強度があり、形が膨らんでも崩れるようなことはない。ビーズ６を戻してパッケージの口元を閉じる。多数個のパッケージを、それらの紐５を腕に通して持ち、新郎新婦が会場を廻りながら、それをひとつひとつ腕から外しながら出席者にプレゼントしていくという演出をすれば、その場の雰囲気を盛り上げるメッセージ性の高い品物となる。またパッケージの形状はハート形であり、結婚式の披露宴などで使用するには最適である。
【００１２】
この考案は以上のような構成を有し、以下の効果を得ることができる。
▲１▼紙や合成樹脂フィルムなどの紙状材を使用したため、簡易で安価に製造でき、中に入れた品物との不釣り合いを感じさせないパッケージとなる。
▲２▼ペーパークラフト技術を使用して編み込んでいるため、紙などの材質であっても意匠的に優れたシャレたパッケージとして、その場の雰囲気にあった趣きを感じさせるものとなる。
▲３▼紙などの素材であっても、織込んだ底部はその強度が大きくなり、中に品物を入れても形が崩れない。
▲４▼全体をハート形にすることにより、結婚式の披露宴などの場にあった、より高いメッセージ性や雰囲気を醸し出すことができる。
▲５▼スリットの中間部分をその両端部分よりも若干幅広にしたことで、折り返し部分の編み込みをより容易にすることができる。
▲６▼吊下げるための紐を取付けることで、その手渡すときのメッセージ性や雰囲気を更に盛り上げることができる。
【図面の簡単な説明】
【図１】この考案にかかるペーパークラフトパッケージの一実施例の斜視図である。
【図２】紙状材の平面図である。
【図３】二枚の紙状材を編み込む前の斜視図である。
【図４】編み込んでいる状態の斜視図である。
【図５】編み込んだ状態の斜視図である。
【符号の説明】
１　紙状材
２　スリット
３　孔
４　分割部分
５　紐
６　ビーズ
【図１】
0003098801.tif 000003
【図２】
0003098801.tif 000004
【図３】
0003098801.tif 000005
【図４】
0003098801.tif 000006
【図５】
0003098801.tif 000007